(57)【要約】【課題】地上波アナログ放送と地上波デジタル放送の双方を受信可能なデジタル放送受信装置において、効率よくチャンネルサーチを行う。【解決手段】地上波アナログ放送と地上波デジタル放送の双方を受信可能なデジタル放送受信装置において、地上波アナログ放送のチャンネルサーチと地上波デジタル放送のチャンネルサーチを同時に実行し、地上波デジタル放送のチャンネルサーチを実行する際に、地上波アナログ放送で既に受信できているチャンネルの周波数スキャンをスキップする。【選択図】      図１
2004349963.tif 000002
【特許請求の範囲】
【請求項１】
アナログ放送とデジタル放送の両方を受信できるアナログ・デジタル放送受信装置において、
受信可能なアナログ放送のチャンネルをサーチして取得するアナログチャンネル取得手段と、
受信可能なデジタル放送のチャンネルをサーチして取得するデジタルチャンネル取得手段と、
前記デジタルチャンネル取得手段がデジタル放送のチャンネルサーチをする際に、前記アナログチャンネル取得手段により取得した受信可能なアナログ放送のチャンネルのサーチを前記デジタルチャンネル取得手段にスキップさせる制御手段とを具備することを特徴とするアナログ・デジタル放送受信装置。
【請求項２】
請求項１記載のアナログ・デジタル放送受信装置において、受信可能なアナログ放送のチャンネルに関するデータを登録するアナログチャンネル管理手段を具備し、
前記制御手段は、前記デジタルチャンネル取得手段が前記デジタル放送のチャンネルサーチを実行する際に、前記アナログチャンネル管理手段から前記アナログチャンネルを取得し、該アナログチャンネル以外のチャンネルに対するサーチを先に前記デジタルチャンネル取得手段に実行させることを特徴とするアナログ・デジタル放送受信装置。
【請求項３】
請求項１記載のアナログ・デジタル放送受信装置において、
サーチした受信可能なアナログ放送のチャンネルに関するデータを登録するアナログチャンネル管理手段を具備し、
前記制御手段は、前記デジタルチャンネル取得手段が前記デジタル放送のチャンネルサーチを実行する際に、前記アナログチャンネル管理手段から前回サーチした前記アナログチャンネルを取得し、該アナログチャンネル以外のチャンネルに対するサーチを先に前記デジタルチャンネル取得手段に実行させることを特徴とするアナログ・デジタル放送受信装置。
【請求項４】
請求項１記載のアナログ・デジタル放送受信装置において、
前記アナログ放送において放送されていないチャンネルに関するデータを登録するアナログチャンネル管理手段を具備し、
前記制御手段は、前記デジタルチャンネル取得手段が前記デジタル放送のチャンネルサーチを実行する際に、前記アナログチャンネル管理手段から放送されていない前記アナログチャンネルを取得し、該アナログチャンネルに対するサーチを先に前記デジタルチャンネル取得手段に実行させることを特徴とするアナログ・デジタル放送受信装置。
【請求項５】
請求項１記載のアナログ・デジタル放送受信装置において、
サーチした受信可能なアナログ放送のチャンネルに関するデータを登録するアナログチャンネル管理手段と、
サーチした受信可能なデジタル放送のチャンネルに関するデータを登録するデジタルチャンネル管理手段と、
情報を使用者に報知する手段とを具備し、
前記制御手段は、少なくとも前記チャンネル管理手段の一方に登録されている今回のチャンネルサーチの結果と、前回のチャンネルサーチの結果とを比較し、前記比較結果が相違した場合に、前記報知手段により前記相違に関する情報を報知することを特徴とするアナログ・デジタル放送受信装置。
【請求項６】
請求項１記載のアナログ・デジタル放送受信装置において、
サーチした受信可能なアナログ放送のチャンネルに関するデータを登録するアナログチャンネル管理手段と、
サーチした受信可能なデジタル放送のチャンネルに関するデータを登録するデジタルチャンネル管理手段と、
受信可能なチャンネルを登録して使用者が登録チャンネルを選択可能とする操作手段とを具備し、
前記制御手段は、少なくとも前記チャンネル管理手段の一方に登録されている今回のチャンネルサーチの結果と、前回のチャンネルサーチの結果とを比較し、前記比較結果が相違した場合に、新たに受信可能となったチャンネルは前記操作手段に登録し、受信不可能となったチャンネルは前記操作手段から削除することを特徴とするアナログ・デジタル放送受信装置。
【発明の詳細な説明】
【０００１】
【発明の属する技術分野】
本発明は、地上波アナログ放送と地上波デジタル放送の両方を受信できるアナログ・デジタル放送受信装置に関するものである。
【０００２】
【従来の技術】
関東・近畿・中京の３大広域圏では２００３年末までに地上波デジタル放送が始まる予定で、その他の地域も２００６年末までに開始される予定である。２０１１年くらいまではアナログ放送も継続される予定であり、過渡期はアナログ放送とデジタル放送が混在することになる予定である。
【０００３】
またある地域で受信できるチャンネルを探すのは、チャンネルサーチと呼ばれる自動的に周波数ごとにチューナに選局が出来るかどうかの判定を行う機能が有用である。
【０００４】
チャンネルサーチの基本的な仕組みはアナログもデジタルも同じだが、デジタル放送では、チャンネルを探す場合はチューナの選局後にＮｅｔｗｏｒｋ  Ｉｎｆｏｒｍａｔｉｏｎ  Ｔａｂｌｅ（ネットワーク情報テーブル  以下ＮＩＴと略す）を受信し、そこで伝送されるチャンネルデータを取得する必要がある。このため、デジタル放送ではチャンネルデータを取得するための時間が必要であり、アナログ放送と比較してチャンネルサーチに時間がかかる。例えばＮＩＴの再送周期を２秒とすると、最悪の場合、アナログ放送よりも１周波数あたり２秒遅れることになり、これが数十のチャンネルになると、それだけ遅延時間が長くなることになり、この遅延時間にどう対処するかが地上波デジタル放送受信装置における課題の１つとなっている。
【０００５】
この解決例の１つとして特許文献１の技術がある。これは周波数（チャンネル）サーチを行い、各周波数がアナログ用かデジタル用か放送されていないかを判定する事により高速にサーチするものである。これはアナログ放送とデジタル放送が同一周波数に混在することはないためで、仮に混在している場合は混信し両方受信できなくなると考えられるためである。このようにサーチをする際に周波数同調後にチューナでアナログ放送かデジタル放送かを判定し、デジタルの判定を省く考えは存在する。
【０００６】
【特許文献１】
特開２００１−２３０６８９号公報
【０００７】
【発明が解決しようとする課題】
しかしながら、すでにアナログのチャンネルが受信できている場合、周波数の同調は無駄である。受信できるアナログのチャンネルが事前に分かっているときは、デジタルのチャンネルサーチを行う際にアナログのチャンネルの周波数までもサーチしてしまうのは時間の無駄である。
【０００８】
本発明の目的は、デジタルのチャンネルサーチを行う際に、より速くチャンネルサーチを行うことができるアナログ・デジタル放送受信装置を提供することである。
【０００９】
【課題を解決するための手段】
上記課題を解決するために、本発明は、アナログ放送とデジタル放送の両方を受信できるアナログ・デジタル放送受信装置において、受信可能なアナログ放送のチャンネルをサーチして取得するアナログチャンネル取得手段と、受信可能なデジタル放送のチャンネルをサーチして取得するデジタルチャンネル取得手段と、前記デジタルチャンネル取得手段がデジタル放送のチャンネルサーチをする際に、前記アナログチャンネル取得手段により取得した受信可能なアナログ放送のチャンネルのサーチを前記デジタルチャンネル取得手段にスキップさせる制御手段とを具備することを特徴とする。
【００１０】
また、本発明は、受信可能なアナログ放送のチャンネルに関するデータを登録するアナログチャンネル管理手段を具備し、前記制御手段は、前記デジタルチャンネル取得手段が前記デジタル放送のチャンネルサーチを実行する際に、前記アナログチャンネル管理手段から前記アナログチャンネルを取得し、該アナログチャンネル以外のチャンネルに対するサーチを先に前記デジタルチャンネル取得手段に実行させることを特徴とする。
【００１１】
また、本発明は、サーチした受信可能なアナログ放送のチャンネルに関するデータを登録するアナログチャンネル管理手段を具備し、前記制御手段は、前記デジタルチャンネル取得手段が前記デジタル放送のチャンネルサーチを実行する際に、前記アナログチャンネル管理手段から前回サーチした前記アナログチャンネルを取得し、該アナログチャンネル以外のチャンネルに対するサーチを先に前記デジタルチャンネル取得手段に実行させることを特徴とする。
【００１２】
また、本発明は、サーチした受信可能なアナログ放送のチャンネルに関するデータを登録するアナログチャンネル管理手段と、サーチした受信可能なデジタル放送のチャンネルに関するデータを登録するデジタルチャンネル管理手段と、情報を使用者に報知する手段とを具備し、前記制御手段は、前記両チャンネル管理手段に登録されている今回のチャンネルサーチの結果と、前回のチャンネルサーチの結果とを比較し、前記比較結果が相違した場合に、前記報知手段により前記相違に関する情報を報知することを特徴とする。
【００１３】
また、本発明は、サーチした受信可能なアナログ放送のチャンネルに関するデータを登録するアナログチャンネル管理手段と、サーチした受信可能なデジタル放送のチャンネルに関するデータを登録するデジタルチャンネル管理手段と、受信可能なチャンネルを登録して使用者が登録チャンネルを選択可能とする操作手段とを具備し、前記制御手段は、前記両チャンネル管理手段に登録されている今回のチャンネルサーチの結果と、前回のチャンネルサーチの結果とを比較し、前記比較結果が相違した場合に、新たに受信可能となったチャンネルは前記操作手段に登録し、受信不可能となったチャンネルは前記操作手段から削除することを特徴とする。
【００１４】
また、本発明は、前記アナログ放送において放送されていないチャンネルに関するデータを登録するアナログチャンネル管理手段を具備し、前記制御手段は、前記デジタルチャンネル取得手段が前記デジタル放送のチャンネルサーチを実行する際に、前記アナログチャンネル管理手段から放送されていない前記アナログチャンネルを取得し、該アナログチャンネルに対するサーチを先に前記デジタルチャンネル取得手段に実行させることを特徴とする。
【００１５】
【発明の実施の形態】
以下、本発明によるアナログ・デジタル放送受信装置の実施形態について、図面に基づいて説明する。
【００１６】
図１は、本発明によるアナログ・デジタル放送受信装置の一実施形態を示すブロック図である。
このアナログ・デジタル放送受信装置は、地上波アナログ放送及び地上波デジタル放送の電波を受信するアンテナ部１１、受信した電波の検波を行う地上波デジタル放送用のチューナ部（デジタルチャンネル取得手段）１２、電波から抽出された映像データと音声データが復号された後に出力されるディスプレイやスピーカ等からなる映像・音声出力部１３、受信装置全体の動作を制御する制御部１４、受信した電波の検波を行う地上波アナログ放送用のチューナ部（アナログチャンネル取得手段）１５、受信可能な地上波アナログ放送のチャンネルを登録して管理するアナログチャンネル管理部１６、受信可能な地上波デジタル放送のチャンネルを登録して管理するデジタルチャンネル管理部１７から構成されている。
【００１７】
以下に、このように構成された実施の形態による地上波アナログ・デジタル放送受信装置のチャンネルサーチの動作について説明する。
【００１８】
図２は、従来のデジタル放送のチャンネルサーチ処理の流れを示すフローチャートである。
ステップＳ１０１にて、チャンネルサーチをする最初の周波数を設定し、チャンネルサーチを開始する。制御部１４は、ステップＳ１０２にてデジタルチューナ部１２に対してＴｕｎｉｎｇ命令を実行し、ステップＳ１０３にてチューナステータスのチェックを行う。ステップＳ１０４にて選局できなかった場合、その後の処理を行わずにステップＳ１０７へ移動する。それ以降の処理はデジタル特有の処理で、ステップＳ１０５にてチューナから出ているＴｒａｎｓｐｏｒｔ  Ｓｔｒｅａｍ（ＭＰＥＧシステム規格にて規定されるトランスポートストリーム：以下ＴＳと略す）データからＮＩＴやＳＩを受信し、ステップＳ１０６にて前記のデータからチャンネル対応表を作成する。ステップＳ１０７で次の周波数がある場合は次の周波数を設定し、ステップＳ１０２へ戻り、そうでない場合は処理を終える。
【００１９】
図３にて本発明による地上波デジタル放送のチャンネルサーチ処理の流れを説明する。
ステップＳ２０１にて、制御部１４は、チャンネルサーチをする最初の周波数を設定し、チャンネルサーチを開始する。次にステップＳ２０２にて、制御部１４は、デジタルチューナ部１２にチューニング動作を行わせる前に、アナログチューナ部１５が地上波アナログ放送で受信できるかどうかの判定を行い、受信できないと判定した場合には、デジタルチューナ部１２による地上波デジタル放送のスキャンが必要だということでステップＳ２０３へ移行する。受信できると判定した場合には、すでに地上波アナログ放送で受信できるため、地上波デジタル放送のスキャンは必要ないということで、Ｓ２０３からＳ２０７の間の処理をスキップする。
【００２０】
地上波デジタル放送のスキャンが必要な場合、後は図２にて説明したものと同じように、制御部１４は、ステップＳ２０３にてデジタルチューナ部１２に対してＴｕｎｉｎｇ命令を実行し、ステップＳ２０４にてチューナステータスのチェックを行う。ステップＳ２０５にて選局できなかった場合、その後の処理を行わずに、ステップＳ２０８へ移動する。選局できた場合、ステップＳ２０６にてデジタルチューナ部１２から出ているＴＳデータからＮＩＴやＳＩを受信する。ステップＳ２０７にて前記のデータからチャンネル対応表を作成し、デジタルチャンネル管理部１７に登録する。ステップＳ２０８で次の周波数がある場合は次の周波数を設定し、ステップＳ２０２へ戻り、そうでない場合は処理を終える。
【００２１】
従来の例と比べて分かるようにアナログ放送で受信できているチャンネルの場合、Ｓ２０３からＳ２０７の処理が不要であり、そのチャンネル分チャンネルサーチの処理を短縮できることになる。
【００２２】
図４を参照して、本発明の実施形態に係るデジタル放送受信装置において、実際に時系列でどのような処理がなされているかを説明する。
図４は、本発明の実施形態に係るデジタル放送受信装置におけるチャンネルサーチ処理の時間的流れを示す説明図である。なお、デジタル放送のＶＨＦにおける送信はない予定だが、理解を容易にするため、アナログ放送・デジタル放送ともそれぞれチャンネル１からサーチを行うものとする。また、図４において、下方向が時間軸を表し、デジタル放送がアナログ放送のサーチに比べて３倍の時間がかかることとする。
【００２３】
図４に示す例では、まず、制御部１４はアナログチューナ部１５にチャンネル１から順に受信可能なチャンネルをスキャンさせる。まず、アナログチューナ部１５はチャンネル１をサーチし、アナログ放送のチャンネル１が受信可能であることを検出する。そしてチャンネル１を受信可能なチャンネルデータとして、アナログチャンネル管理部１６に登録する。次に、アナログチューナ部１５にアナログ放送のチャンネル２のサーチを開始させると同時に、デジタル放送のチャンネル１のサーチが必要なくなったので、デジタルチューナ部１２にデジタル放送のチャンネル２のサーチを開始させる。そして、アナログチューナ部１５がアナログ放送のチャンネル２の同調に失敗すると、制御部１４は、次のチャンネルのサーチをさせ、アナログ放送のチャンネル３，４が見つかる。それと同時に、デジタルチューナ部１２がデジタル放送のチャンネル２のサーチを終了する。そして、チャンネル２を受信可能なチャンネルデータとして、デジタルチャンネル管理部１７に登録する。
【００２４】
続いて、アナログチューナ部１２がチャンネル９の同調に失敗し、チャンネル８，１０が受信可能チャンネルとして検出し、制御部１４はアナログチャンネル管理部１６に受信可能チャンネルとして登録する。その間、デジタルチューナ部１２は、チャンネル６がアナログ放送の受信可能なチャンネルとして検出されているため、デジタルチューナ部１２によるチャンネル６のサーチをスキップし、チャンネル７のサーチを行う。
【００２５】
続いて、制御部１４はアナログチューナ部１５にチャンネル１１のサーチを開始させる。その間、デジタルチューナ部１２は、チャンネル８がアナログ放送の受信可能なチャンネルとして検出されているため、サーチをスキップし、チャンネル９のサーチを行う。
【００２６】
本発明の実施形態に係るデジタル放送受信装置では、上述した処理を順次行うことにより、チャンネルサーチ処理が実行される。
【００２７】
次に、アナログ放送が放送されていないと推測できる範囲においてデジタル放送のサーチを行うことにより、効率的にチャンネルサーチを行う方法について説明する。
【００２８】
例えば、図５に示すように、姫路・明石の両方のアナログ放送を視聴可能な地域では、４９チャンネル〜６２チャンネルがアナログ放送のチャンネルとして連続して存在している。この地域において、仮に、デジタル放送のチャンネルサーチを６２チャンネルから降順で行うとする。本来、図５に示す例では、６２チャンネル〜４９チャンネルのチャンネルサーチは無駄であるため、４８チャンネルからチャンネルサーチを開始すればよいはずである。しかしながら、先に説明した方法では、アナログチューナ部１５がアナログ放送のチャンネルサーチを終えるのを待つため、アナログ放送の４９チャンネルのチャンネルサーチが終わった後に、初めて４８チャンネルのチャンネルサーチを行うこととなる。
【００２９】
そこで、アナログ放送に対するチャンネルサーチの待ち時間を無くして、効率よくチャンネルサーチを行う方法を次に述べる。
すなわち、図５に示すような特定地域における受信可能なチャンネルのデータベースをアナログチャンネル管理部１６にあらかじめ用意する。制御部１４が、ユーザからの地域設定入力に基づいて、その地域のアナログ放送用の受信可能チャンネルをアナログチャンネル管理部１６から取得して、取得したチャンネルに対するチャンネルサーチを後回しに図３の手順に従いサーチを行う。つまり、データベースのチャンネル４９〜６９を飛ばしてチャンネル４８から順にサーチを始め、さらにチャンネル３０，１９も飛ばして残りのチャンネルのサーチを行う。
【００３０】
また、地上波アナログ放送で既にチャンネルサーチを行った場合に、その結果として受信可能なチャンネルをデータとしてアナログチャンネル管理部１６に登録して、これに基づいて地上波アナログ放送で受信可能なチャンネルに対するチャンネルサーチを後回しにすることによっても、効率よくデジタル放送のチャンネルサーチを行うことができる。
【００３１】
図６は、特定の地域において地上波アナログ放送で受信できるチャンネルのデータベースを示す模式図である。このデータベースが特定地域において前回サーチのときにアナログチャンネル管理部１６に登録されており、まず制御部１４は、これを除くチャンネル２，５，７，９…から先に図３の手順に従って順にサーチを行う。これらチャンネルのサーチが終了後、図６に記載のチャンネルについて、受信可能であるかを確認する意味でサーチを行う。こうして、効率よくチャンネルサーチを行うことができる。
【００３２】
また、他の例として、図７に示すように、全国で使用されていないアナログ放送チャンネルのデータベースをアナログチャンネル管理部１６に備える。そして、図７のチャンネル１３，１５，４５，４７を先にチャンネルサーチし、それが終わってから残りのチャンネルをサーチする。このことによっても、効率よくチャンネルサーチを行うことができる。
【００３３】
また、アナログ放送のチャンネルサーチを行った後では、アナログチャンネル管理部１６に、図８に示すように、地上波アナログ放送で新たにチャンネルサーチを行った結果と、前回チャンネルサーチを行った結果とが登録されている。そこで、制御部１４は、今回のサーチ結果と前回のサーチ結果をアナログチャンネル管理部１６から取得して比較し、相違があれば、この相違についてユーザに報知するようにしてもよい。図８に示す例では、比較結果としてチャンネル８がなくなっているので、例えばディスプレイ等にその旨を表示することにより、チャンネル８がなくなったことをユーザに報知すればよい。
【００３４】
また、制御部１４は、新たに受信可能としてチャンネル８が増える場合には、自動的にチャンネル８を操作手段としてのリモコンキーに割り当て登録してもよいし、チャンネル８が受信不可能となった場合には、リモコンキーから削除する。こうして、常に使用可能なキーがリモコンに登録されているので、ユーザは現在受信可能なチャンネルをすぐ選択できる。
【００３５】
なお、アナログチャンネルについて記載したが、デジタルチャンネルについても、同様に今回のサーチ結果と前回のサーチ結果を比較して、相違している場合には、報知したり、リモコンに登録削除したりできる。
【００３６】
【発明の効果】
本発明に係るデジタル放送受信装置によれば、地上波アナログ放送で既に受信できているチャンネルの周波数スキャンをスキップすることにより、効率よくチャンネルサーチを行い、チャンネルサーチに対するユーザの無駄な待ち時間を減少させることが可能となる。
【図面の簡単な説明】
【図１】本発明の実施形態に係るデジタル放送受信装置の構成を示すブロック図である。
【図２】従来の一般的なデジタル放送受信装置におけるチャンネルサーチ処理の手順を示すフローチャートである。
【図３】本発明の実施形態に係るデジタル放送受信装置におけるチャンネルサーチ処理の手順を示すフローチャートである。
【図４】地上波アナログ放送で受信できているチャンネルのデータベースを示す模式図である。
【図５】特定の地域において地上波アナログ放送で受信できるチャンネルのデータベースを示す模式図である。
【図６】本発明の実施形態に係るデジタル放送受信装置におけるチャンネルサーチ処理の時間的流れを示す説明図である。
【図７】全国で使用されていない地上波アナログ放送のチャンネルのデータベースを示す模式図である。
【図８】地上波アナログ放送をチャンネルサーチした結果と前回チャンネルサーチした結果の比較を示す模式図である。
【符号の説明】
１１  アンテナ部
１２  デジタルチューナ部
１３  映像・音声出力部
１４  制御部
１５  アナログチューナ部
１６  アナログ放送チャンネル管理部
１７  デジタル放送チャンネル管理部
【図１】
2004349963.tif 000003
【図２】
2004349963.tif 000004
【図３】
2004349963.tif 000005
【図４】
2004349963.tif 000006
【図５】
2004349963.tif 000007
【図６】
2004349963.tif 000008
【図７】
2004349963.tif 000009
【図８】
2004349963.tif 000010